(57)【要約】【課題】表示装置に外部装置からの画像信号に応じた画像を表示させる際のユーザーの手間を減らすことを可能にする技術を提供する。【解決手段】操作を受け付ける操作受付部を有する表示装置の制御方法は、第１信号を送信し、第１信号を受信した第１外部装置から送信された第２信号と、第１信号を受信した第２外部装置から送信された第３信号とを受信し、第２信号と第３信号を受信すると、第１外部装置の情報と第２外部装置の情報とが含まれる第１画像を表示面に表示し、第１画像が表示面に表示された状態で操作受付部が第１外部装置を選択する第１操作を受け付けると、第１外部装置との接続のための処理を実行し、第１外部装置と接続された後に第１外部装置から送信された画像信号に応じた第２画像を表示面に表示する。【選択図】図２
2019164183.tif 000002
【特許請求の範囲】
【請求項１】
操作を受け付ける操作受付部を有する表示装置の制御方法であって、
第１信号を送信し、
前記第１信号を受信した第１外部装置から送信された第２信号と、前記第１信号を受信した第２外部装置から送信された第３信号と、を受信し、
前記第２信号と前記第３信号を受信すると、前記第１外部装置の情報と前記第２外部装置の情報とが含まれる第１画像を表示面に表示し、
前記第１画像が前記表示面に表示された状態で前記操作受付部が前記第１外部装置を選択する第１操作を受け付けると、前記第１外部装置との接続のための処理を実行し、
前記第１外部装置と接続された後に前記第１外部装置から送信された画像信号に応じた第２画像を前記表示面に表示する、
ことを特徴とする表示装置の制御方法。
【請求項２】
前記第１信号を送信してから所定時間が経過するまでの間に前記第２信号と前記第３信号を受信すると、前記第１画像を前記表示面に表示する、
ことを特徴とする請求項１に記載の表示装置の制御方法。
【請求項３】
前記第１画像が前記表示面に表示された状態で前記操作受付部が前記第１外部装置と前記第２外部装置とを選択する第２操作を受け付けると、前記第１外部装置および前記第２外部装置との接続のための処理を実行し、
前記第２画像と、前記第２外部装置と接続された後に前記第２外部装置から送信された画像信号に応じた第３画像と、を前記表示面に表示する、
ことを特徴とする請求項１または２に記載の表示装置の制御方法。
【請求項４】
前記第１画像が前記表示面に表示された状態で前記操作受付部が前記第２画像と前記第３画像との位置関係を指示する第３操作と前記第２操作とを受け付けると、前記第１外部装置および前記第２外部装置との接続のための処理を実行し、
前記第２画像と前記第３画像とを前記第３操作で指示された位置関係で前記表示面に表示する、
ことを特徴とする請求項３に記載の表示装置の制御方法。
【請求項５】
前記第１外部装置と接続すると、前記第１外部装置と接続した旨の接続履歴を記憶し、
前記接続履歴を記憶した状況で前記第２信号を受信すると、前記第１画像を前記表示面に表示することなく前記第１外部装置との接続のための処理を実行する、
ことを特徴とする請求項１から４のいずれか１項に記載の表示装置の制御方法。
【請求項６】
画像を表示面に表示する表示部と、
操作を受け付ける操作受付部と、
第１信号を送信する送信部と、
前記第１信号を受信した第１外部装置から送信された第２信号と、前記第１信号を受信した第２外部装置から送信された第３信号と、を受信する受信部と、
前記受信部が前記第２信号と前記第３信号を受信すると、前記第１外部装置の情報と前記第２外部装置の情報とが含まれる第１画像を前記表示面に表示する第１動作を、前記表示部に実行させる第１制御部と、
前記第１画像が前記表示面に表示された状態で前記操作受付部が前記第１外部装置を選択する第１操作を受け付けると、前記第１外部装置との接続のための処理を実行する接続処理部と、
前記第１外部装置と接続された後に前記第１外部装置から送信された画像信号に応じた第２画像を前記表示面に表示する第２動作を、前記表示部に実行させる第２制御部と、
を含むことを特徴とする表示装置。
【請求項７】
表示装置と、第１外部装置と、第２外部装置と、を含み、
前記表示装置は、
画像を表示面に表示する表示部と、
操作を受け付ける操作受付部と、
第１信号を送信する送信部と、
前記第１信号を受信した第１外部装置から送信された第２信号と、前記第１信号を受信した第２外部装置から送信された第３信号と、を受信する受信部と、
前記受信部が前記第２信号と前記第３信号を受信すると、前記第１外部装置の情報と前記第２外部装置の情報とが含まれる第１画像を前記表示面に表示する第１動作を、前記表示部に実行させる第１制御部と、
前記第１画像が前記表示面に表示された状態で前記操作受付部が前記第１外部装置を選択する第１操作を受け付けると、前記第１外部装置との接続のための処理を実行する接続処理部と、
を含み、
前記第１外部装置は、
画像データを記憶する記憶部と、
前記表示装置と通信する通信部と、
前記表示装置との接続のための処理が実行されると、前記記憶部に記憶されている画像データに応じた画像信号を前記表示装置へ送信する条件が満たされたか否かを判定する判定部と、
前記条件が満たされない場合には前記画像信号を前記表示装置に送信せず前記条件が満たされた場合には前記画像信号を前記表示装置に送信する動作を、前記通信部に実行させる動作制御部と、
を含み、
前記表示装置は、
前記第１外部装置と接続された後に前記第１外部装置から送信された画像信号に応じた第２画像を前記表示面に表示する第２動作を、前記表示部に実行させる第２制御部を、
を含む、
ことを特徴とする表示システム。
【発明の詳細な説明】
【技術分野】
【０００１】
本発明は、表示装置の制御方法、表示装置および表示システムに関する。
【背景技術】
【０００２】
特許文献１には、無線ＬＡＮ（local area network）モジュールを含む複数の入力端子を備えたプロジェクターが記載されている。このプロジェクターは、複数の入力端子の中から選択された入力端子が外部装置から受け取った画像信号を用いて、当該画像信号に応じた画像を表示面に投射して表示する。
【先行技術文献】
【特許文献】
【０００３】
【特許文献１】特開２００９−２９６４０４号公報
【発明の概要】
【発明が解決しようとする課題】
【０００４】
特許文献１に記載のプロジェクターのような表示装置では、一つの入力端子に接続可能な外部機器が複数あり得る場合には、ユーザーが、その入力端子に接続可能な外部機器を特定し、当該外部機器を操作して表示装置に接続する必要があり、不便な場合があるという問題があった。
【課題を解決するための手段】
【０００５】
本発明に係る表示装置の制御方法の一態様は、操作を受け付ける操作受付部を有する表示装置の制御方法であって、第１信号を送信し、前記第１信号を受信した第１外部装置から送信された第２信号と、前記第１信号を受信した第２外部装置から送信された第３信号と、を受信し、前記第２信号と前記第３信号を受信すると、前記第１外部装置の情報と前記第２外部装置の情報とが含まれる第１画像を表示面に表示し、前記第１画像が前記表示面に表示された状態で前記操作受付部が前記第１外部装置を選択する第１操作を受け付けると、前記第１外部装置との接続のための処理を実行し、前記第１外部装置と接続された後に前記第１外部装置から送信された画像信号に応じた第２画像を前記表示面に表示する、ことを特徴とする。
この態様によれば、ユーザーが表示装置に接続可能な外部装置を特定して当該外部装置を操作しなくても、表示装置を操作することで、第１外部装置から送信された画像信号に応じた画像を表示可能になる。
【０００６】
上述した表示装置の制御方法の一態様において、前記第１信号を送信してから所定時間が経過するまでの間に前記第２信号と前記第３信号を受信すると、前記第１画像を前記表示面に表示することが望ましい。
この態様によれば、通信状況に応じて、第１信号を送信してから第２信号と第３信号とを受信するまでに所定時間かかってしまっても第１画像を表示可能になる。
【０００７】
上述した表示装置の制御方法の一態様において、前記第１画像が前記表示面に表示された状態で前記操作受付部が前記第１外部装置と前記第２外部装置とを選択する第２操作を受け付けると、前記第１外部装置および前記第２外部装置との接続のための処理を実行し、前記第２画像と、前記第２外部装置と接続された後に前記第２外部装置から送信された画像信号に応じた第３画像と、を前記表示面に表示することが望ましい。
この態様によれば、ユーザーの手間を減らしつつ、第１画像と第２画像とを表示可能になる。
【０００８】
上述した表示装置の制御方法の一態様において、前記第１画像が前記表示面に表示された状態で前記操作受付部が前記第２画像と前記第３画像との位置関係を指示する第３操作と前記第２操作とを受け付けると、前記第１外部装置および前記第２外部装置との接続のための処理を実行し、前記第２画像と前記第３画像とを前記第３操作で指示された位置関係で前記表示面に表示することが望ましい。
この態様によれば、ユーザーの手間を減らしつつ、第１画像と第２画像とを、ユーザーの意図した位置関係で表示可能になる。
【０００９】
上述した表示装置の制御方法の一態様において、前記第１外部装置と接続すると、前記第１外部装置と接続した旨の接続履歴を記憶し、前記接続履歴を記憶した状況で前記第２信号を受信すると、前記第１画像を前記表示面に表示することなく前記第１外部装置との接続のための処理を実行することが望ましい。
表示装置は、同一の外部装置と続けて接続されることが多い。この態様によれば、例えば、前回接続した外部端末と自動的に接続することが可能になり、接続に関するユーザーの手間を減らすことが可能になる。
【００１０】
本発明に係る表示装置の一態様は、画像を表示面に表示する表示部と、操作を受け付ける操作受付部と、第１信号を送信する送信部と、前記第１信号を受信した第１外部装置から送信された第２信号と、前記第１信号を受信した第２外部装置から送信された第３信号と、を受信する受信部と、前記受信部が前記第２信号と前記第３信号を受信すると、前記第１外部装置の情報と前記第２外部装置の情報とが含まれる第１画像を前記表示面に表示する第１動作を、前記表示部に実行させる第１制御部と、前記第１画像が前記表示面に表示された状態で前記操作受付部が前記第１外部装置を選択する第１操作を受け付けると、前記第１外部装置との接続のための処理を実行する接続処理部と、前記第１外部装置と接続された後に前記第１外部装置から送信された画像信号に応じた第２画像を前記表示面に表示する第２動作を、前記表示部に実行させる第２制御部と、を含むことを特徴とする。
この態様によれば、ユーザーが表示装置に接続可能な外部装置を特定して当該外部装置を操作しなくても、表示装置を操作することで、第１外部装置から送信された画像信号に応じた画像を表示可能になる。
【００１１】
本発明に係る表示システムの一態様は、表示装置と、第１外部装置と、第２外部装置と、を含み、前記表示装置は、画像を表示面に表示する表示部と、操作を受け付ける操作受付部と、第１信号を送信する送信部と、前記第１信号を受信した第１外部装置から送信された第２信号と、前記第１信号を受信した第２外部装置から送信された第３信号と、を受信する受信部と、前記受信部が前記第２信号と前記第３信号を受信すると、前記第１外部装置の情報と前記第２外部装置の情報とが含まれる第１画像を前記表示面に表示する第１動作を、前記表示部に実行させる第１制御部と、前記第１画像が前記表示面に表示された状態で前記操作受付部が前記第１外部装置を選択する第１操作を受け付けると、前記第１外部装置との接続のための処理を実行する接続処理部と、を含み、前記第１外部装置は、画像データを記憶する記憶部と、前記表示装置と通信する通信部と、前記表示装置との接続のための処理が実行されると、前記記憶部に記憶されている画像データに応じた画像信号を前記表示装置へ送信する条件が満たされたか否かを判定する判定部と、前記条件が満たされない場合には前記画像信号を前記表示装置に送信せず前記条件が満たされた場合には前記画像信号を前記表示装置に送信する動作を、前記通信部に実行させる動作制御部と、を含み、前記表示装置は、前記第１外部装置と接続された後に前記第１外部装置から送信された画像信号に応じた第２画像を前記表示面に表示する第２動作を、前記表示部に実行させる第２制御部を、を含むことを特徴とする。
この態様によれば、ユーザーが表示装置に接続可能な外部装置を特定して当該外部装置を操作しなくても、表示装置を操作することで、第１外部装置から送信された画像信号に応じた画像を表示可能になる。
また、第１外部装置は、記憶部に記憶されている画像データに応じた画像信号を表示装置へ送信する条件が満たされた場合に、画像信号を表示装置に送信する。このため、表示装置への送信が望まれていない画像信号が、無条件で表示装置に送信されることを抑制できる。
【図面の簡単な説明】
【００１２】
【図１】第１実施形態に係る表示システム１００を示した図である。
【図２】プロジェクター１と端末Ａを示した図である。
【図３】投射部１１の一例を示した図である。
【図４】選択画面を表示する動作を説明するためのフローチャートである。
【図５】選択画面Ｇ１の一例を示した図である。
【図６】分割設定画面Ｇ２の一例を示した図である。
【図７】投射位置設定画面Ｇ３の一例を示した図である。
【図８】接続端末との接続の動作を説明するためのシーケンス図である。
【図９】変形例１の動作を説明するためのフローチャートである。
【発明を実施するための形態】
【００１３】
以下、図面を参照しながら実施形態を説明する。本実施形態には、技術的に好ましい種々の限定が付されている。しかしながら、本発明の範囲は、これらの形態に限られるものではない。
【００１４】
＜第１実施形態＞
図１は、第１実施形態に係る表示システム１００を示した図である。
表示システム１００は、プロジェクター１と、端末Ａ〜Ｄと、を含む。プロジェクター１は、表示装置の一例である。端末Ａ〜Ｄは、外部装置の一例である。端末Ｃは、第１外部装置の一例である。端末Ｂは、第２外部装置の一例である。端末Ａ〜Ｄの各々は、画像信号を無線で送信可能である。端末Ａ〜Ｄの各々は、例えば、スマートフォンまたはＰＣ（パーソナルコンピューター）である。なお、端末Ａ〜Ｄは、スマートフォンまたはＰＣに限らず、プロジェクター１と通信可能な電子機器であればよい。
【００１５】
プロジェクター１は、画像を投射する投射部１１と、操作を受け付ける第１操作受付部１２とを含む。プロジェクター１は、プロジェクター１に接続可能な端末（以下「接続可能端末」と称する）を検索する。図１では、端末Ａ〜Ｄの各々が、接続可能端末である。
【００１６】
プロジェクター１は、接続可能端末の中から、プロジェクター１に接続する端末（以下「接続端末」と称する）を選択するための画像（以下「選択画面」と称する）Ｇ１を、スクリーンＳＣに投射して表示する。選択画面Ｇ１は、第１画像の一例である。スクリーンＳＣは、表示面の一例である。選択画面Ｇ１は、接続可能端末を示すリストＬと、カーソルＨとを示す。
【００１７】
プロジェクター１のユーザーは、第１操作受付部１２を操作して選択画面Ｇ１内でカーソルＨを移動する。プロジェクター１のユーザーは、カーソルＨを用いて、端末Ａ〜Ｄの中から接続端末を選択する。
【００１８】
図１に示した選択画面Ｇ１は、端末ＢおよびＣが接続端末として選択された状態を示している。接続端末については、「投射位置」の項目に、投射位置を示す情報が示される。端末Ｂについては「投射位置」として「左」が示され、端末Ｃについては「投射位置」として「右」が示されている。この場合、端末Ｂから送信された画像信号に応じた画像（以下「画像ＧＢ」と称する）が、端末Ｃから送信された画像信号に応じた画像（以下「画像ＧＣ」と称する）の左側に表示される。なお、接続端末の数は２に限らず１以上であればよい。
【００１９】
プロジェクター１は、接続端末が選択されると、接続端末に接続要求を出力する。接続端末は、接続要求を受信すると、画像信号をプロジェクター１に送信する条件（以下「許可条件」と称する）が満たされているか否かを判定する。許可条件は、例えば、接続端末のユーザーが画像信号の送信を許可する旨の承認操作を接続端末に対して行ったという条件である。
【００２０】
許可条件が満たされると、接続端末は、プロジェクター１と接続し、その後、プロジェクター１に画像信号を送信する。プロジェクター１は、画像信号を受信すると、当該画像信号に応じた画像をスクリーンＳＣに投射して表示する。
【００２１】
このように、ユーザーが、プロジェクター１に接続可能な端末を特定しなくても、プロジェクター１は、接続端末から送信された画像信号に応じた画像を表示可能になる。
【００２２】
次に、プロジェクター１と端末Ａの構成について説明する。図２は、プロジェクター１と端末Ａを示した図である。端末Ｂ〜Ｄは、端末Ａが有する構成要素を含んでいる。このため、端末Ｂ〜Ｄの構成についての説明は割愛する。
【００２３】
まず、プロジェクター１について説明する。
プロジェクター１は、投射部１１と、第１操作受付部１２と、第１通信部１３と、第１画像通信部１４と、第１記憶部１５と、第１処理部１６と、第１画像処理部１７と、バス１８と、を含む。投射部１１と、第１操作受付部１２と、第１通信部１３と、第１画像通信部１４と、第１記憶部１５と、第１処理部１６と、第１画像処理部１７は、バス１８を介して相互に通信可能である。
【００２４】
投射部１１は、表示部の一例である。投射部１１は、画像信号に応じた画像をスクリーンＳＣに投射して表示する。
図３は、投射部１１の一例を示した図である。投射部１１は、光源１１１と、光変調装置の一例である３つの液晶ライトバルブ１１２Ｒ、１１２Ｇおよび１１２Ｂと、投射光学系の一例である投射レンズ１１３等を含む。投射部１１では、光源１１１が射出した光を、液晶ライトバルブ１１２Ｒ、１１２Ｇおよび１１２Ｂが変調して、投射画像（画像光）を生成する。投射画像は、投射レンズ１１３から拡大投射される。
【００２５】
光源１１１は、キセノンランプ、超高圧水銀ランプ、ＬＥＤ（Light Emitting Diode）、またはレーザー光源等からなる光源部１１１ａと、光源部１１１ａが放射した光の方向のばらつきを低減するリフレクター１１１ｂとを含む。光源１１１から射出された光は、不図示のインテグレーター光学系によって輝度分布のばらつきが低減され、その後、不図示の色分離光学系によって光の３原色である赤色、緑色、青色の色光成分に分離される。赤色，緑色，青色の色光成分は、それぞれ液晶ライトバルブ１１２Ｒ，１１２Ｇ，１１２Ｂに入射する。
【００２６】
液晶ライトバルブ１１２Ｒ，１１２Ｇ，１１２Ｂは、一対の透明基板間に液晶が封入された液晶パネル等によって構成される。液晶ライトバルブ１１２Ｒ，１１２Ｇ，１１２Ｂには、マトリクス状に配列された複数の画素１１２ｐからなる矩形の画素領域１１２ａが形成されている。液晶ライトバルブ１１２Ｒ，１１２Ｇ，１１２Ｂでは、液晶に対して画素１１２ｐごとに画像信号に応じた駆動電圧を印加することが可能である。
画像信号に応じた駆動電圧が各画素１１２ｐに印加されると、各画素１１２ｐは、画像信号に応じた光透過率に設定される。このため、光源１１１から射出された光は、画素領域１１２ａを透過することで変調され、画像信号に応じた投射画像が色光ごとに形成される。
【００２７】
各色の画像は、不図示の色合成光学系によって画素１１２ｐごとに合成され、カラー画像光である投射画像光が生成される。投射画像光は、投射レンズ１１３によってスクリーンＳＣに拡大投射される。
【００２８】
図２に戻って、第１操作受付部１２は、例えば、各種の操作ボタン、操作キーまたはタッチパネルである。第１操作受付部１２は、ユーザーの入力操作を受け取る。第１操作受付部１２は、ユーザーの入力操作に応じた情報を無線または有線で送信するリモートコントローラー等であってもよい。その場合、プロジェクター１は、リモートコントローラーが送信した情報を受信する受信部を備える。リモートコントローラーは、ユーザーの入力操作を受け取る各種の操作ボタン、操作キーまたはタッチパネルを備える。
【００２９】
第１通信部１３は、接続可能端末を検索するための通信を行う。第１通信部１３は、例えばBluetooth（登録商標）等の近距離無線通信を行うインターフェースである。第１通信部１３は、第１送信部１３１と、第１受信部１３２とを含む。
【００３０】
第１送信部１３１は、送信部の一例である。第１送信部１３１は、接続可能端末を検索するための検索信号を無線で送信する。検索信号は、第１信号の一例である。検索信号が送信される範囲は、第１送信部１３１の通信範囲となる。第１送信部１３１は、検索信号を送信するための送信用イベントが発生すると、検索信号を無線で送信する。
【００３１】
送信用イベントの一例としては、プロジェクター１における電源オン操作、プロジェクター１への画像信号の入力の終了、または、検索信号を送信する旨の操作が挙げられる。なお、送信用イベントは、他のイベントでもよい。
【００３２】
第１送信部１３１と通信可能な接続可能端末は、検索信号を受信すると、接続のための情報（以下「接続情報」と称する）と、当該端末の情報（以下「端末情報」と称する）を、第１送信部１３１に送信する。図１に示した例では、端末Ａ〜Ｄの各々が、検索信号を受信し、接続情報と端末情報とをプロジェクター１に送信する。検索信号を受信した端末Ｃから送信された接続情報および端末情報の各々は、第２信号の一例である。検索信号を受信した端末Ｂから送信された接続情報および端末情報の各々は、第３信号の一例である。
【００３３】
接続情報の一例は、例えば、Bluetoothにおけるペアリング情報である。
端末情報の一例は、接続可能端末の端末名、接続可能端末の機種名、および、接続可能端末のユーザーに関する情報（以下「ユーザー情報」と称する）を含む情報である。端末情報は、端末名と機種名とユーザー情報とのいずれかを含む情報でもよいし、他の情報でもよい。
接続可能端末の端末名は、接続可能端末固有の名称、例えば、接続可能端末のＭＡＣ（Media Access Control）アドレス等の識別情報である。
接続可能端末のユーザー情報の一例は、接続可能端末のユーザーの名称と、接続可能端末のユーザーのアイコンと、を含む情報である。接続可能端末のユーザー情報は、接続可能端末のユーザーの名称と、接続可能端末のユーザーのアイコンとの、いずれかを含む情報でもよいし、他の情報でもよい。
【００３４】
第１受信部１３２は、受信部の一例である。第１受信部１３２は、接続可能端末から送信された接続情報および端末情報を受信する。
【００３５】
第１画像通信部１４は、プロジェクター１と接続した接続端末から、画像信号を受信する。例えば、端末ＢおよびＣがプロジェクター１と接続した場合、第１画像通信部１４は、端末Ｂから送信された画像信号と、端末Ｃから送信された画像信号とを受信する。端末Ｂから送信された画像信号に応じた画像ＧＢは、第３画像の一例である。端末Ｃから送信された画像信号に応じた画像ＧＣは、第２画像の一例である。第１画像通信部１４は、例えば、ミラキャスト（Ｍｉｒａｃａｓｔ）方式で画像信号の通信を行う。
【００３６】
第１記憶部１５は、コンピューターが読み取り可能な記録媒体である。第１記憶部１５は、プロジェクター１の動作を規定するプログラムを記憶する。
【００３７】
第１処理部１６は、ＣＰＵ（Central Processing Unit）等のコンピューターである。第１処理部１６は、１または複数のプロセッサーで構成されてもよい。第１処理部１６は、第１記憶部１５に記憶されているプログラムを読み取り実行することによって、第１制御部１６１と、接続処理部１６２と、第２制御部１６３と、第１動作制御部１６４とを実現する。
【００３８】
第１制御部１６１は、第１受信部１３２が受信した端末情報に応じた選択画面をスクリーンＳＣに表示する動作を、投射部１１に実行させる。
例えば、第１制御部１６１は、第１受信部１３２が端末Ｃの端末情報と端末Ｂの端末情報とを受信すると、端末Ｃの端末情報と端末Ｂの端末情報とが含まれる選択画面Ｇ１をスクリーンＳＣに投射する第１動作を、投射部１１に実行させる。
【００３９】
図１に示した選択画面Ｇ１は、第１受信部１３２が端末Ａ〜Ｄの各々から端末情報を受信した場合にスクリーンＳＣに表示される選択画面の一例である。
選択画面Ｇ１は、画面分割ボタンＭおよび接続ボタンＳも示す。
画面分割ボタンＭは、投射部１１が投射する画像を分割するためのボタンである。
接続ボタンＳは、選択画面Ｇ１において選択された接続可能端末との接続を指示するためのボタンである。
【００４０】
接続処理部１６２は、選択画面Ｇ１に示された接続可能端末の中から接続端末を選択する選択操作を、第１操作受付部１２が受け付けると、選択された接続端末との接続のための処理（以下「接続処理」と称する）を実行する。接続処理では、接続処理部１６２は、選択された接続端末の接続情報を用いて、当該接続端末に接続要求を送信する動作を、第１送信部１３１に実行させる。
【００４１】
第１操作受付部１２が、選択画面Ｇ１がスクリーンＳＣに表示された状態で、端末Ｃを選択する第１操作を受け付けると、接続処理部１６２は、第１送信部１３１を用いて端末Ｃに接続要求を送信する。
第１操作は、例えば、選択画面Ｇ１において、カーソルＨが端末Ｃに位置する状態で不図示の実行ボタンが操作され、その後、接続ボタンＳが押下される操作である。
端末Ｃについて接続処理が実行されている間、選択画面Ｇ１は、表示されてもよいし、表示されなくてもよい。
【００４２】
第１操作受付部１２が、選択画面Ｇ１がスクリーンＳＣに表示された状態で、端末ＢおよびＣを選択する第２操作を受け付けると、接続処理部１６２は、第１送信部１３１を用いて端末ＢおよびＣに接続要求を送信する。
第２操作は、例えば、選択画面Ｇ１において、画面分割ボタンＭが押下された後、カーソルＨが端末Ｃに位置する状態で不図示の実行ボタンが操作され、続いて、カーソルＨが端末Ｂに位置する状態で不図示の実行ボタンが操作され、その後、接続ボタンＳが押下される操作である。
【００４３】
選択画面Ｇ１がスクリーンＳＣに表示された状態で、第１操作受付部１２が、画像ＧＢと画像ＧＣとの位置状態を指示する第３操作と、第２操作とを受け付けた場合も、接続処理部１６２は、第１送信部１３１を用いて端末ＢおよびＣに接続要求を送信する。
第３操作は、例えば、第２操作において画面分割ボタンＭが押下された後に、端末Ｂの投射位置が「左」と設定され端末Ｃの投射位置が「右」と設定される操作である。第３操作の詳細については後述する。
端末ＢおよびＣについて接続処理が実行されている間、選択画面Ｇ１は、表示されてもよいし、表示されなくてもよい。
【００４４】
第２制御部１６３は、画像信号に応じた画像をスクリーンＳＣに表示する動作を、投射部１１に実行させる。
第２制御部１６３は、例えば、端末Ｃと接続された後に端末Ｃから送信された画像信号に応じた画像ＧＣを、投射部１１に投射させる。
また、第２制御部１６３は、例えば、画像ＧＣと画像ＧＢとを第３操作で指示された位置関係でスクリーンＳＣに表示する動作を、投射部１１に実行させる。
なお、端末Ｃから送信された画像信号と、端末Ｃから送信された画像信号は、第１画像通信部１４によって受信される。
【００４５】
第１動作制御部１６４は、プロジェクター１の動作を制御する。例えば、第１動作制御部１６４は、第１操作受付部１２が受け付けた操作に応じて、プロジェクター１の動作を制御する。
【００４６】
次に、端末Ａについて説明する。但し、端末Ｂ〜Ｄは、以下に説明する端末Ａの構成と同様な構成を含んでいる。
端末Ａは、第２操作受付部２１と、表示部２２と、第２通信部２３と、第２画像通信部２４と、第２記憶部２５と、第２処理部２６と、バス２７と、を含む。第２操作受付部２１と、表示部２２と、第２通信部２３と、第２画像通信部２４と、第２記憶部２５と、第２処理部２６は、バス２７を介して相互に通信可能である。
【００４７】
第２操作受付部２１は、例えば、各種の操作ボタン、操作キーまたはタッチパネルである。第２操作受付部２１は、ユーザーの入力操作を受け取る。表示部２２は、種々の情報を表示する液晶ディスプレイである。
【００４８】
第２通信部２３は、第１通信部１３と同様に、例えばBluetooth等の近距離無線通信を行うインターフェースである。第２通信部２３は、第２受信部２３１と、第２送信部２３２とを含む。
第２受信部２３１は、第１送信部１３１から送信された接続要求を受信する。
第２送信部２３２は、端末Ａの接続情報および端末情報をプロジェクター１に送信する。端末Ａの接続情報および端末情報は、第２記憶部２５に記憶されている。
【００４９】
第２画像通信部２４は、通信部の一例である。第２画像通信部２４は、画像データに応じた画像信号をプロジェクター１に送信する。画像データは、第２記憶部２５に記憶されている。第２画像通信部２４は、例えば、ミラキャスト方式で画像信号の通信を行う。
【００５０】
第２記憶部２５は、コンピューターが読み取り可能な記録媒体である。第２記憶部２５は、許可条件、接続情報、端末情報および画像データに加えて、端末Ａの動作を規定するプログラムを記憶する。
【００５１】
第２処理部２６は、ＣＰＵ等のコンピューターである。第２処理部２６は、１または複数のプロセッサーで構成されてもよい。第２処理部２６は、第２記憶部２５に記憶されているプログラムを読み取り実行することによって、判定部２６１と、第２動作制御部２６２とを実現する。
【００５２】
判定部２６１は、プロジェクター１と端末Ａとの接続処理が実行されると、許可条件が満たされたか否かを判定する。
【００５３】
第２動作制御部２６２は、動作制御部の一例である。第２動作制御部２６２は、許可条件が満たされない場合には、第２記憶部２５に記憶されている画像データに応じた画像信号をプロジェクター１に送信する動作を、第２画像通信部２４に実行させない。
一方、許可条件が満たされた場合には、第２動作制御部２６２は、第２記憶部２５に記憶されている画像データに応じた画像信号をプロジェクター１に送信する動作を、第２画像通信部２４に実行させる。
【００５４】
次に、動作を説明する。
図４は、選択画面を表示する動作を説明するためのフローチャートである。以下では、端末Ａ〜Ｄが、第１送信部１３１から送信される検索信号が届く範囲に存在しているとする。
【００５５】
第１動作制御部１６４は、送信用イベントの発生を検出すると、第１送信部１３１に検索信号を無線で送信させることによって、接続可能端末の検索を開始する（ステップＳ１０１）。
【００５６】
端末Ａ〜Ｄの各々では、第２受信部２３１が検索信号を受信すると、第２動作制御部２６２は、第２記憶部２５から接続情報と端末情報を読み取る。続いて、第２動作制御部２６２は、接続情報と端末情報を、検索信号に対する応答としてプロジェクター１に無線で送信する動作を、第２送信部２３２に実行させる。
【００５７】
プロジェクター１の第１受信部１３２が、検索信号に対する応答、すなわち接続情報および端末情報を受信すると（ステップＳ１０２：ＹＥＳ）、第１動作制御部１６４は、第１受信部１３２が受信した接続情報および端末情報を、第１記憶部１５に記憶する（ステップＳ１０３）。
【００５８】
第１動作制御部１６４は、ステップＳ１０２で検索信号に対する応答を受信していない場合（ステップＳ１０２：ＮＯ）、ステップＳ１０１で検索信号が送信されてから一定時間経過してタイムアウトになったか否かを判断する（ステップＳ１０４）。一定時間は所定時間の一例である。第１動作制御部１６４は、ステップＳ１０３を実行した後にも、ステップＳ１０４を実行する。
【００５９】
ステップＳ１０４でタイムアウトになっていない場合（ステップＳ１０４：ＮＯ）、処理がステップＳ１０２に戻る。
【００６０】
一方、ステップＳ１０４でタイムアウトになった場合（ステップＳ１０４：ＹＥＳ）、第１制御部１６１は、接続可能端末を検出したか否かを判断する（ステップＳ１０５）。
ステップＳ１０５では、第１制御部１６１は、第１記憶部１５に接続情報および端末情報が記憶されている場合には接続可能端末を検出したと判断し、第１記憶部１５に接続情報および端末情報が記憶されていない場合には接続可能端末が検出されていないと判断する。
【００６１】
第１制御部１６１は、ステップＳ１０５で接続可能端末を検出したと判断すると（ステップＳ１０５：ＹＥＳ）、第１記憶部１５に記憶されている端末情報を用いて、選択画面Ｇ１を示す画像信号を生成する。続いて、第１制御部１６１は、選択画面Ｇ１を示す画像信号を用いて、投射部１１に選択画面Ｇ１を表示させる（ステップＳ１０６）。
図５は、ステップＳ１０６で表示される選択画面Ｇ１の一例を示した図である。図５に示した選択画面Ｇ１では、接続端末は選択されていない。
【００６２】
一方、第１制御部１６１は、ステップＳ１０５で接続可能端末を検出していないと判断すると（ステップＳ１０５：ＮＯ）、投射部１１に選択画面Ｇ１を表示させずに動作を終了する。なお、第１制御部１６１は、接続可能端末を検出していないと判断した場合に、接続可能端末が１台も示されていない選択画面、換言すると、０台の接続可能端末が示された選択画面を、投射部１１に表示させてもよい。
【００６３】
次に、選択画面Ｇ１を用いて接続端末を選択する動作を説明する。
図５に示した選択画面Ｇ１が表示されている状況で、ユーザーが第１操作受付部１２を操作して画面分割ボタンＭを押下すると、第１制御部１６１は、選択画面Ｇ１に代えて、画面の分割を設定するための分割設定画面Ｇ２をスクリーンＳＣに投射して表示する動作を、投射部１１に実行させる。
【００６４】
図６は、分割設定画面Ｇ２の一例を示した図である。図６に示した分割設定画面Ｇ２では、１画面を意味する「分割なし」と、「２分割」と、「４分割」とを選択可能である。ユーザーは、第１操作受付部１２を操作して、分割なしと、２分割と、４分割と、のいずれかを選択する。図６に示した分割設定画面Ｇ２では、２分割が選択されている。
【００６５】
分割設定画面Ｇ２において、分割なしと２分割と４分割のいずれかが選択されると、第１制御部１６１は、分割設定画面Ｇ２に代えて、選択画面Ｇ１をスクリーンＳＣに投射して表示する動作を、投射部１１に実行させる。
【００６６】
続いて、ユーザーは、第１操作受付部１２を操作して、選択画面Ｇ１において、接続端末を選択する。
なお、２分割と４分割とのいずれかが選択された後に接続端末が選択されると、第１制御部１６１は、接続端末が出力する画像信号に応じた画像の投射位置を設定するための投射位置設定画面Ｇ３を、選択画面Ｇ１に代えてスクリーンＳＣに投射して表示する動作を、投射部１１に実行させる。
【００６７】
図７は、投射位置設定画面Ｇ３の一例を示した図である。図７に示した投射位置設定画面Ｇ３は、２分割に対応し、投射位置として「左」と「右」とのいずれかを設定可能である。この場合、ユーザーは、第１操作受付部１２を操作して、「左」と「右」のいずれかを選択する。図７に示した投射位置設定画面Ｇ３では、「左」が選択されている。
【００６８】
投射位置設定画面Ｇ３において、「左」と「右」とのいずれかが選択されると、第１制御部１６１は、投射位置設定画面Ｇ３に代えて、選択画面Ｇ１をスクリーンＳＣに投射して表示する動作を、投射部１１に実行させる。
以下、同様に、他の接続端末についての設定が実行される。
なお、４分割に対応する投射位置設定画面Ｇ３では、例えば、「左上」と「右上」と「左下」と「右下」とのいずれかが設定可能となる。
【００６９】
次に、接続端末との接続の動作について説明する。
図８は、接続端末との接続の動作を説明するためのシーケンス図である。以下では、図１に示すように、端末ＢおよびＣの各々が接続端末として設定され、２分割画面が設定され、画像ＧＢを２分割画面の左側画面に表示し、画像ＧＣを２分割画面の右側画面に表示する設定がなされているとする。なお、接続端末等の設定は適宜変更可能である。
【００７０】
ユーザーが、接続端末の設定を行った後に第１操作受付部１２を操作して、接続ボタンＳを押下する接続開始指示を行うと（ステップＳ２０１）、接続処理部１６２は、端末Ｂに接続要求を送信する動作を第１送信部１３１に実行させる（ステップＳ２０２）。
【００７１】
端末Ｂの第２動作制御部２６２は、第２受信部２３１が接続要求を受信すると、表示部２２に確認画面を表示する（ステップＳ２０３）。
確認画面は、接続端末が記憶している画像信号をプロジェクター１にしてもよいか否かを確認するための画面である。確認画面は、例えば、「画像信号の送信を許可しますか？」という問合せを示す。なお、確認画面は、「画像信号の送信を許可しますか？」という問合せを示す画面に限らず適宜変更可能である。
【００７２】
また、接続処理部１６２は、端末Ｃに接続要求を送信する動作を第１送信部１３１に実行させる（ステップＳ２０４）。端末Ｃの第２動作制御部２６２は、第２受信部２３１が接続要求を受信すると、表示部２２に確認画面を表示する（ステップＳ２０５）。
【００７３】
端末Ｂのユーザーが、確認画面が表示されている状況において、第２操作受付部２１を操作して画像信号の送信を承認する承認操作を行うと（ステップＳ２０６）、判定部２６１は、許可条件が満たされたと判定する。許可条件が満たされた場合、第２動作制御部２６２は、第２記憶部２５に記憶されている画像データに応じた画像信号をプロジェクター１に送信する動作を、第２画像通信部２４に実行させる（ステップＳ２０７）。
【００７４】
プロジェクター１の第１画像通信部１４は、端末Ｂから送信された画像信号を受信する。続いて、第２制御部１６３は、第１画像通信部１４が受信した画像信号に応じた画像ＧＢを分割画面の左側の画面に投射する動作を投射部１１に実行させる（ステップＳ２０８）。
続いて、第２制御部１６３は、端末Ｂが接続した旨の接続履歴を第１記憶部１５に記憶する（ステップＳ２０９）。
【００７５】
端末Ｃのユーザーが、確認画面が表示されている状況において、第２操作受付部２１を操作して承認操作を行うと（ステップＳ２１０）、判定部２６１は、許可条件が満たされたと判定する。許可条件が満たされた場合、第２動作制御部２６２は、第２記憶部２５に記憶されている画像データに応じた画像信号をプロジェクター１に送信する動作を、第２画像通信部２４に実行させる（ステップＳ２１１）。
【００７６】
プロジェクター１の第１画像通信部１４は、端末Ｃから送信された画像信号を受信する。続いて、第２制御部１６３は、第１画像通信部１４が受信した画像信号に応じた画像ＧＣを分割画面の右側の画面に投射する動作を投射部１１に実行させる（ステップＳ２１２）。
続いて、第２制御部１６３は、端末Ｃが接続した旨の接続履歴を第１記憶部１５に記憶する（ステップＳ２１３）。
【００７７】
なお、接続履歴が使用されない場合には、ステップＳ２０９およびステップＳ２１３は省略されてもよい。また、第１記憶部１５に記憶されてから第１時間経過した接続履歴を第１動作制御部１６４は削除してもよい。また、第１動作制御部１６４は、第１記憶部１５に記憶された接続履歴の数が所定数を超えた場合、最も古い接続履歴を削除してもよい。
【００７８】
本実施形態に係るプロジェクター１の制御方法、プロジェクター１および表示システム１００によれば、ユーザーが接続可能端末を特定して当該外部装置を操作しなくても、プロジェクター１を操作して、例えば、端末Ｃから送信された画像信号に応じた画像ＧＣを表示可能になる。
【００７９】
第１制御部１６１は、検索信号が送信されてから一定時間が経過するまでの間に、端末Ｂの接続情報および端末情報と、端末Ｃの接続情報および端末情報と、を受信すると、選択画面Ｇ１をスクリーンＳＣに表示する動作を、投射部１１に実行させる。
このため、通信状況に応じて、検索信号を送信してから、端末Ｂの接続情報および端末情報と、端末Ｃの接続情報および端末情報と、を受信するまでに所定時間かかってしまっても選択画面Ｇ１を表示可能になる。
【００８０】
選択画面Ｇ１がスクリーンＳＣに表示された状態で、第１操作受付部１２が端末ＢおよびＣを選択する第２操作を受け付けると、接続処理部１６２は、端末ＢおよびＣとの接続のための処理を実行する。そして、第２制御部１６３は、画像ＧＢおよびＧＣをスクリーンＳＣに表示する動作を、投射部１１に実行させる。
このため、ユーザーの手間を減らしつつ、画像ＧＢおよびＧＣを表示可能になる。
【００８１】
選択画面Ｇ１がスクリーンＳＣに表示された状態で、第１操作受付部１２が、画像ＧＢと画像ＧＣとの位置関係を指示する第３操作と第２操作を受け付けると、接続処理部１６２は、端末ＢおよびＣとの接続のための処理を実行する。そして、第２制御部１６３は、画像ＧＢおよびＧＣを第３操作で指示された位置関係でスクリーンＳＣに表示する動作を、投射部１１に実行させる。
このため、ユーザーの手間を減らしつつ、画像ＧＢと画像ＧＣとを、ユーザーの意図した位置関係で表示可能になる。
【００８２】
第２動作制御部２６２は、許可条件が満たされない場合には画像信号をプロジェクター１に送信せず許可条件が満たされた場合には画像信号をプロジェクター１に送信する動作を、第２画像通信部２４に実行させる。
このため、プロジェクター１への送信が望まれていない画像信号が、無条件でプロジェクター１に送信されることを抑制できる。
【００８３】
＜変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【００８４】
＜変形例１＞
プロジェクター１等の表示装置は、同一の外部装置と続けて接続されることが多い。このため、接続処理部１６２は、接続可能端末の中に、前回接続された端末と同一の端末が存在する場合、第１制御部１６１が選択画面Ｇ１を投射部１１に表示させることを禁止し、かつ、前回接続された端末と同一の端末と接続するための処理を実行する。
【００８５】
図９は、変形例１の動作を説明するためのフローチャートである。
プロジェクター１の電源がオンすると、第１動作制御部１６４は、接続可能端末の自動検索を行う条件（以下「自動検索条件」と称する）が満たされるかを判断する（ステップＳ３０１）。
自動検索条件としては、例えば、自動検索を実行する旨の設定情報が第１記憶部１５に記憶されているという特定条件が挙げられる。なお、自動検索条件は、特定条件に限らず適宜変更可能である。例えば、自動検索条件として、無線信号の状態に基づく条件、または、プロジェクター１が属するネットワークの状態に基づく条件が挙げられる。
【００８６】
自動検索条件が満たされる場合（ステップＳ３０１：ＹＥＳ）、第１制御部１６１は、検索動作を実行する（ステップＳ３０２）。ステップＳ３０２は、図４に示したステップＳ１０１からステップＳ１０４を含む。
【００８７】
検索動作において接続可能端末が検出されると（ステップＳ３０３：ＹＥＳ）、第１動作制御部１６４は、第１記憶部１５に記憶された接続履歴を参照して、接続履歴に示された端末と同一の端末が接続可能端末として検出されたか否かを判断する（ステップＳ３０４）。
【００８８】
接続履歴に示された端末と同一の端末が接続可能端末として検出された場合（ステップＳ３０４：ＹＥＳ）、接続処理部１６２は、第１制御部１６１が選択画面Ｇ１を投射部１１に表示させることを禁止し、かつ、接続履歴に示された端末と同一の端末と接続するための処理を実行する（ステップＳ３０５）。
例えば、第１記憶部１５に記憶された接続履歴が端末Ｃと接続した旨を示す状況で、第１受信部１３２が、端末Ｃの接続情報および端末情報を受信した場合、接続処理部１６２は、選択画面Ｇ１をスクリーンＳＣに表示させることなく、かつ、端末Ｃとの接続のための処理を実行する。
【００８９】
ステップＳ３０４で接続履歴に示された端末と同一の端末が接続可能端末として検出されなかった場合（ステップＳ３０４：ＮＯ）、第１動作制御部１６４は、第１画像通信部１４への画像信号の入力があるか否かを判断する（ステップＳ３０６）。
【００９０】
第１画像通信部１４への画像信号の入力がない場合（ステップＳ３０６：ＹＥＳ）、第１制御部１６１は、選択画面Ｇ１をスクリーンＳＣに表示する動作を投射部１１に実行させる（ステップＳ３０７）。
【００９１】
第１画像通信部１４への画像信号の入力がある場合（ステップＳ３０６：ＮＯ）、第１動作制御部１６４は、第１画像通信部１４に入力された画像信号に応じた画像をスクリーンＳＣに表示する動作を投射部１１に実行させる（ステップＳ３０８）。
【００９２】
なお、自動検索条件が満たされない場合（ステップＳ３０１：ＮＯ）、および、接続可能端末が検出されなかった場合（ステップＳ３０３：ＮＯ）、図９に示した動作が終了する。
【００９３】
変形例１によれば、例えば、第１記憶部１５に記憶された接続履歴が端末Ｃと接続した旨を示す状況で、第１受信部１３２が、端末Ｃの接続情報および端末情報を受信した場合、接続処理部１６２は、端末Ｃとの接続のための処理を実行する。このため、例えば、前回接続した端末と自動的に接続することが可能になり、接続に関するユーザーの手間を減らすことが可能になる。
【００９４】
＜変形例２＞
確認画面の表示と承認操作は省略されてもよい。
【００９５】
＜変形例３＞
プロジェクター１と端末との通信は、無線通信に限らず、有線通信でもよい。
また、プロジェクター１と端末とは、接続可能端末の検索および接続に近距離無線通信を用い、画像信号の通信にミラキャスト等の無線ＬＡＮ通信を用いたが、接続可能端末の検索および接続と、画像信号の通信とを、共通の通信方式、例えば無線ＬＡＮ通信で行ってもよい。
【００９６】
＜変形例４＞
端末Ａ〜Ｄは、相互に同一の種類の電子機器でもよいし、相互に異なる種類の電子機器でもよい。また、端末Ａ〜Ｄの少なくとも１台の種類が、残りの端末の種類と異なってもよい。また、端末の数は４に限らず２以上であればよい。
【００９７】
＜変形例５＞
なお、接続端末を選択してから画面分割ボタンＭが押下され、分割設定画面Ｇ２において、２分割が設定された場合、選択済みの接続端末に対してデフォルトで「左」または「右」が設定されてもよい。
【００９８】
＜変形例６＞
第１処理部１６および第２処理部２６の各々の要素の全部または一部は、例えばＦＰＧＡ（field programmable gate array）またはＡＳＩＣ（Application
Specific IC）等の電子回路によりハードウェアで実現されてもよいし、ソフトウェアとハードウェアとの協働により実現されてもよい。
【００９９】
＜変形例７＞
光変調装置として液晶ライトバルブが用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系および色合成光学系に相当する部材は不要である。また、液晶パネルおよびＤＭＤ以外にも、光源１１１が発した光を変調可能な構成は、光変調装置として採用できる。
【０１００】
＜変形例８＞
表示装置としてプロジェクターが用いられたが、表示装置はプロジェクターに限らず適宜変更可能である。例えば、表示装置は、直視型のディスプレイあってもよい。この場合、投射部１１の代わりに、例えば液晶ディスプレイのような直視型の表示部が用いられる。
【符号の説明】
【０１０１】
１…プロジェクター、１１…投射部、１２…第１操作受付部、１３…第１通信部、１４…第１画像通信部、１５…第１記憶部、１６…第１処理部、１７…第１画像処理部、１８…バス、２１…第２操作受付部、２２…表示部、２３…第２通信部、２４…第２画像通信部、２５…第２記憶部、２６…第２処理部、２７…バス、１００…表示システム、１３１…第１送信部、１３２…第１受信部、１６１…第１制御部、１６２…接続処理部、１６３…第２制御部、１６４…第１動作制御部、２３１…第２受信部、２３２…第２送信部、２６１…判定部、２６２…第２動作制御部。
【図１】
2019164183.tif 000003
【図２】
2019164183.tif 000004
【図３】
2019164183.tif 000005
【図４】
2019164183.tif 000006
【図５】
2019164183.tif 000007
【図６】
2019164183.tif 000008
【図７】
2019164183.tif 000009
【図８】
2019164183.tif 000010
【図９】
2019164183.tif 000011